(57)【要約】【課題】  絶縁用スペーサ等の絶縁体を別途加工して製作することを不要として、絶縁のために要する作業面での労苦やコストを削減する。【解決手段】  光素子２搭載されるステム３と、ステム３に固着され且つ光素子２の外周側及び前方側を覆う金属製ホルダ４と、金属製ホルダ４の前方側に配置され且つ光ファイバ５を固定するための金属製支持体６とを備えた光通信用光学部品１において、金属製ホルダ４の前壁部４ａの前面と、金属製支持体６の後面との間に、その両者４，６を電気的に絶縁して固定する低融点ガラスＧ１を介設すると共に、その低融点ガラスＧ１が、光透過ガラス部材７を金属製ホルダ４の前壁部４ａに固定すべく光透過ガラス部材７まで連続している。【選択図】図１
2007173603.tif 000002
【特許請求の範囲】
【請求項１】
光信号を送信または受信するための光素子が搭載されるステムと、該ステムに固着され且つ前記光素子の外周側及び前方側を覆う金属製ホルダと、該金属製ホルダの前方側に配置され且つ光ファイバを固定するための金属製支持体とを備え、前記光ファイバから光素子に至る光路上に位置する光透過ガラス部材を前記金属製ホルダの前壁部に装着してなる光通信用光学部品において、
前記金属製ホルダの前壁部の前面と、前記金属製支持体の後面との間に、該金属製ホルダ及び金属製支持体の両者を電気的に絶縁して固定する低融点ガラスを介設すると共に、該低融点ガラスが、前記光透過ガラス部材を前記金属製ホルダの前壁部に固定すべく該光透過ガラス部材まで連続していることを特徴とする光通信用光学部品。
【請求項２】
光信号を送信または受信するための光素子が搭載されるステムと、該ステムに固着され且つ前記光素子の外周側及び前方側を覆う金属製ホルダと、該金属製ホルダの前方側に配置され且つ光ファイバを固定するための金属製支持体とを備え、前記光ファイバから光素子に至る光路上に位置する光透過ガラス部材を前記金属製ホルダの前壁部に装着してなる光通信用光学部品において、
前記光透過ガラス部材の装着部位または前記光素子の配設部位の外周側を包囲する絶縁性材料からなる絶縁包囲体を、前記金属製支持体及び金属製ホルダの両者に径方向に係合させると共に、その両者を、前記絶縁包囲体と低融点ガラスとにより電気的に絶縁し且つ固定したことを特徴とする光通信用光学部品。
【請求項３】
光信号を送信または受信するための光素子が搭載されるステムと、該ステムに固着され且つ前記光素子の外周側を覆う金属製ホルダと、該金属製ホルダの前方側に配置され且つ前記光素子の前方側を覆うと共に光ファイバを固定するための金属製支持体とを備え、前記光ファイバから光素子に至る光路上に位置する光透過ガラス部材を前記金属製支持体に装着してなる光通信用光学部品において、
前記光透過ガラス部材の装着部位または前記光素子の配設部位の外周側を包囲する絶縁性材料からなる絶縁包囲体を、前記金属製支持体及び金属製ホルダの両者に径方向に係合させると共に、その両者を、前記絶縁包囲体と低融点ガラスとにより電気的に絶縁し且つ固定したことを特徴とする光通信用光学部品。
【請求項４】
前記金属製ホルダに、前記絶縁包囲体を径方向に対して位置決めする位置決め面を形成したことを特徴とする請求項２または３に記載の光通信用光学部品。
【請求項５】
前記絶縁包囲体は、円筒状に形成されていることを特徴とする請求項２〜４の何れかに記載の光通信用光学部品。
【請求項６】
前記絶縁包囲体は、ガラスまたはガラスセラミックで形成されていることを特徴とする請求項２〜５の何れかに記載の光通信用光学部品。
【請求項７】
前記光ファイバが保持されたフェルールを装着してなる止着体が、前記金属製支持体の前方側にＹＡＧ溶接により固定されていることを特徴とする請求項１〜６の何れかに記載の光通信用光学部品。
【請求項８】
前記金属製ホルダが、前記光素子のステムに抵抗溶接により固定されていることを特徴とする請求項１〜７の何れかに記載の光通信用光学部品。
【請求項９】
前記光透過ガラス部材が、レンズまたは球レンズであることを特徴とする請求項１〜８の何れかに記載の光通信用光学部品。
【発明の詳細な説明】
【技術分野】
【０００１】
本発明は、光通信用光学部品に係り、詳しくは、光通信用光学部品における光ファイバ側からの電磁ノイズ等の外乱因子に対して光素子を保護するための電気的絶縁構造に関する。
【背景技術】
【０００２】
周知のように、光通信の分野においては、例えば、レーザーダイオード等からなる半導体発光素子と、フォトダイオード等からなる半導体受光素子と、光ファイバとを、光学的に結合してなる光モジュールが多頻度で使用されるに至っている。このような光モジュールにおいては、それを構築する一部品として、上記の半導体発光素子または半導体受光素子からなる光素子と、球レンズ等の光透過ガラス部材とを所定間隔を隔てて組み付けると共に、光素子に対して光信号の送信または受信が可能となるように光ファイバの一端を適切な位置に配設してなる光通信用光学部品が使用される。
【０００３】
この種の光通信用光学部品の詳細は、その一例として、光素子を搭載してなるステムと、光素子の外周側及び前方側を覆う金属製ホルダとを一体形成または固着し、この金属製ホルダの前壁部にレンズ等の光入出力用硝子窓を装着すると共に、その光入出用硝子窓の前方側に光ファイバの先端が対向して位置するように金属製ホルダの前方側に光ファイバ保持用の金属製フェルールまたは金属製レセプタクルを配設する構成が公知となっている（例えば特許文献１、２参照）。
【０００４】
また、他の例として、光素子を搭載してなるステムに、光素子の外周側を覆うホルダを固着し、このホルダの前面に光素子の前方側を覆う金属製支持体（筐体）を固定し、この金属製支持体に、レンズと光ファイバ固定用のフェルールとを装着する構成が公知となっている（例えば特許文献３参照）。
【０００５】
これらの光通信用光学部品においては、光ファイバ側からの電磁ノイズやサージ等の外乱因子に対して光素子を保護するために、電気的絶縁構造を採用することが要求される。このような要請に応じるべく、特許文献１に開示された光通信用光学部品によれば、筒状部の軸方向一端にフランジ部を一体形成してなる絶縁用スペーサを備え、この絶縁用スペーサのフランジ部を、ステムの前面と金属製フェルールの後面との間に介設すると共に、その絶縁用スペーサの筒状部を、金属製ホルダの外周面と金属製フェルールの内周面との間に介設することが行われている。
【０００６】
また、特許文献２に開示された光通信用光学部品によれば、リング状の絶縁用スペーサを備え、この絶縁用スペーサを、受光素子のステム部の前面と金属製ホルダの後面との間に介設し、且つ受光素子の外周面と金属製ホルダの内周面とを、絶縁物を配合してなる接着剤で接着固定することが行われている。
【０００７】
更に、特許文献３に開示された光通信用光学部品によれば、筒状の絶縁性ホルダを備え、ステムの前面に光素子の外周側を覆うようにその絶縁性ホルダを固着し、この絶縁性ホルダの前面に光素子の前方側を覆う金属製支持体（筐体）を固定することが行われている。
【０００８】
【特許文献１】特開平７−１９９０００号公報
【特許文献２】特開平９−２３０１７５号公報
【特許文献３】特開２０００−３０４９８５号公報
【発明の開示】
【発明が解決しようとする課題】
【０００９】
しかしながら、上記の特許文献１、２、３に開示された光通信用光学部品の絶縁構造は何れも、絶縁用スペーサや絶縁性ホルダを、別途加工して製作しなければならず、しかもその製作に際して加工誤差が生じた場合には、光学特性に狂いが生じる等の悪影響を及ぼすため、その製作に要する作業が複雑且つ面倒なものとなる。特に、特許文献１に開示のものは、絶縁用スペーサが筒状部とフランジ部とからなるため、形状が複雑化されて製作が極めて面倒になる。
【００１０】
また、特許文献１に開示のものでは、絶縁用スペーサのフランジ部の厚みに加工誤差が生じた場合には、金属製フェルールの姿勢や位置に狂いが生じ、これに起因して光ファイバと光入出力用硝子窓との相対位置や対向角度にも狂いが生じる。更に、特許文献２に開示のものでは、絶縁用スペーサの厚みに加工誤差が生じた場合には、受光素子とレンズとの相対位置や対向角度に狂いが生じ、また特許文献３に開示のものでは、絶縁性ホルダの軸方向長さに加工誤差が生じた場合に、受光素子とレンズとの相対位置や対向角度に狂いが生じる。
【００１１】
したがって、上記の特許文献１、２、３に開示された光通信用光学部品の絶縁構造は何れも、絶縁用スペーサや絶縁性ホルダの加工誤差が直接の原因となって、その光通信用光学部品が本来的に有する光学特性を悪化させるという問題を有している。
【００１２】
以上の観点から、本発明の第１の課題は、絶縁用スペーサ等の絶縁体を別途加工して製作することを不要として、絶縁のために要する作業面での労苦やコストを削減することにある。
【００１３】
また、以上の観点から、本発明の第２の課題は、絶縁用スペーサ等の絶縁体の加工誤差が直接的に光通信用光学部品の光学特性に悪影響を及ぼすことを回避することにある。
【課題を解決するための手段】
【００１４】
上記第１の課題を解決するためになされた第１の手段は、光信号を送信または受信するための光素子が搭載されるステムと、該ステムに固着され且つ前記光素子の外周側及び前方側を覆う金属製ホルダと、該金属製ホルダの前方側に配置され且つ光ファイバを固定するための金属製支持体とを備え、前記光ファイバから光素子に至る光路上に位置する光透過ガラス部材を前記金属製ホルダの前壁部に装着してなる光通信用光学部品において、前記金属製ホルダの前壁部の前面と、前記金属製支持体の後面との間に、該金属製ホルダ及び金属製支持体の両者を電気的に絶縁して固定する低融点ガラスを介設すると共に、該低融点ガラスが、前記光透過ガラス部材を前記金属製ホルダの前壁部に固定すべく該光透過ガラス部材まで連続していることに特徴づけられる。
【００１５】
ここで、「光ファイバを固定するための金属製支持体」とは、光ファイバを直接保持して固定するためのフェルールに相当する金属製支持体に限らず、光ファイバを直接保持して固定するためのフェルールを更に固定する金属製支持体や、光ファイバを直接保持して固定するためのフェルールが固定されてなるフランジ等の止着体を更に固定する金属製支持体をも含む意味である（以下、同様）。
【００１６】
この第１の手段によれば、低融点ガラスによって金属製ホルダと金属製支持体とが電気的に絶縁されるため、低融点ガラスを塗布する作業及び低融点ガラスを介して金属製ホルダと金属製支持体とを接着固定させるための作業を行うことのみをもって、絶縁のための主たる作業が完了することになる。これにより、絶縁用スペーサ等の絶縁体を別途加工して製作する必要がなくなり、絶縁のために要する作業面での労苦やコストの削減を図ることが可能となる。しかも、金属製ホルダの前壁部の前面と金属製支持体の後面との間に介設される低融点ガラスが、光透過ガラス部材まで連続して、金属製ホルダの前壁部に光透過ガラス部材をも固定しているため、この低融点ガラスが前記両者の絶縁用と光透過ガラス部材の固定用とを兼ねることになり、作業工数の削減及び作業性の向上を図ることが可能となる。更に、低融点ガラスが上記のように連続していることから、金属製ホルダと金属製支持体とを接着固定させるための作業を行う際には、この両者の軸芯からのズレに対してさほど大きな注意を払わなくとも、両者の絶縁に支障が生じず、作業の簡素化あるいは簡略化をも図ることが可能となる。
【００１７】
一方、上記第２の課題を解決するためになされた第２の手段は、光信号を送信または受信するための光素子が搭載されるステムと、該ステムに固着され且つ前記光素子の外周側及び前方側を覆う金属製ホルダと、該金属製ホルダの前方側に配置され且つ光ファイバを固定するための金属製支持体とを備え、前記光ファイバから光素子に至る光路上に位置する光透過ガラス部材を前記金属製ホルダの前壁部に装着してなる光通信用光学部品において、前記光透過ガラス部材の装着部位または前記光素子の配設部位の外周側を包囲する絶縁性材料からなる絶縁包囲体を、前記金属製支持体及び金属製ホルダの両者に径方向に係合させると共に、その両者を、前記絶縁包囲体と低融点ガラスとにより電気的に絶縁し且つ固定したことに特徴づけられる。
【００１８】
この第２の手段によれば、金属製ホルダが光素子の外周側及び前方側を覆い且つその前壁部に光透過ガラス部材が装着されてなり、この金属製ホルダの前方側に金属製支持体が配置された構成において、光透過ガラス部材の装着部位または光素子の配設部位の外周側を包囲する絶縁包囲体が、金属製ホルダと金属製支持体との両者に径方向に係合されているため、この両者は、絶縁包囲体により径方向移動を規制された状態で支持されることになる。そして、このような状態で、金属製ホルダと金属製支持体とが、その絶縁包囲体のみによって電気的に絶縁されるのではなく、低融点ガラスによっても電気的に絶縁される。すなわち、金属製ホルダと金属製支持体とが軸方向に接触した場合には、絶縁性が阻害されるため、その絶縁性阻害を阻止するために、両者の軸方向の対向面間に低融点ガラスが介設され、これにより両者が軸方向に対して電気的に絶縁され且つ固定される。尚、この両者が、径方向に対して上記の絶縁包囲体のみによって電気的に絶縁されず、また固定されない場合には、この両者の径方向における相互間、或いは絶縁包囲体とこの両者の何れか一方または双方との相互間に亘って、低融点ガラスを固着させれば、この両者が径方向に対しても電気的に絶縁され且つ固定される。以上の事由により、絶縁性包囲体に加工誤差が生じていても、低融点ガラスによってその誤差を小さくし或いはなくすことができ、絶縁包囲体の加工誤差が直接的にこの光通信用光学部品の光学特性に悪影響を及ぼすという不具合を回避することが可能となる。
【００１９】
また、上記第２の課題を解決するためになされた第３の手段は、光信号を送信または受信するための光素子が搭載されるステムと、該ステムに固着され且つ前記光素子の外周側を覆う金属製ホルダと、該金属製ホルダの前方側に配置され且つ前記光素子の前方側を覆うと共に光ファイバを固定するための金属製支持体とを備え、前記光ファイバから光素子に至る光路上に位置する光透過ガラス部材を前記金属製支持体に装着してなる光通信用光学部品において、前記光透過ガラス部材の装着部位または前記光素子の配設部位の外周側を包囲する絶縁性材料からなる絶縁包囲体を、前記金属製支持体及び金属製ホルダの両者に径方向に係合させると共に、その両者を、前記絶縁包囲体と低融点ガラスとにより電気的に絶縁し且つ固定したことに特徴づけられる。
【００２０】
この第３の手段によれば、金属製ホルダが光素子の外周側を覆うと共に、その前方側に配置された金属製支持体が光素子の前方側を覆い、且つその金属製支持体に光透過ガラス部材が装着された構成において、光透過ガラス部材の装着部位または光素子の配設部位の外周側を包囲する絶縁包囲体が、金属製ホルダと金属製支持体との両者に径方向に係合されているため、この両者は、絶縁包囲体により径方向移動を規制された状態で支持されることになる。そして、この第３の手段も、上述の第２の手段と同様に、金属製ホルダと金属製支持体とが、その絶縁包囲体のみによって電気的に絶縁されるのではなく、低融点ガラスによっても電気的に絶縁される。したがって、上述の第２の手段で述べた事項と同様の事由により、絶縁性包囲体に加工誤差が生じていても、低融点ガラスによってその誤差を小さくし或いはなくすことができ、絶縁包囲体の加工誤差が直接的にこの光通信用光学部品の光学特性に悪影響を及ぼすという不具合を回避することが可能となる。
【００２１】
上記第２の手段及び第３の手段においては、金属製ホルダに、絶縁包囲体を径方向に対して位置決めする位置決め面を形成することが好ましい。
【００２２】
このようにすれば、絶縁包囲体と金属製ホルダとを径方向に正確に位置決めできることから、絶縁包囲体に径方向に係合している金属製支持体も、径方向に正確に位置決めすることが可能となり、この光通信用光学部品が本来的に有している光学特性を良好に維持できることになる。
【００２３】
また、上記第２の手段及び第３の手段において、絶縁包囲体は、円筒状に形成されていることが好ましい。
【００２４】
このようにすれば、フランジ部等を有することなく円筒部のみから絶縁包囲体が構成されることになり、その製作の簡素化及び容易化が図られる。
【００２５】
更に、上記第２の手段及び第３の手段において、絶縁包囲体は、ガラスまたはガラスセラミックで形成されていることが好ましい。
【００２６】
このようにすれば、絶縁包囲体と低融点ガラスとの接着強度等を良好に維持できることになり、耐久性に優れた強固な光通信用光学部品を得ることが可能となる。また、ガラスやガラスセラミックは、プリフォームを延伸成型して作製する方法、いわゆる延伸成型法によって絶縁包囲体を作製することが可能であるため、絶縁包囲体が高精度で安価になる。但し、絶縁包囲体の材質としては、樹脂やセラミック等の他の絶縁材料が排除されるわけではない。
【００２７】
また、上記第２の手段及び第３の手段において、光ファイバが保持されたフェルールを装着してなる止着体が、金属製支持体の前方側にＹＡＧ溶接により固定されていることが好ましい。
【００２８】
このようにすれば、ＹＡＧ溶接の特性を有効利用して、金属製支持体に熱歪等の熱による悪影響を及ぼすことなく、強固且つ安価に止着体と金属製支持体とを固定することが可能となる。
【００２９】
更に、上記第２の手段及び第３の手段において、金属製ホルダが、光素子のステムに抵抗溶接により固定されていることが好ましい。
【００３０】
このようにすれば、抵抗溶接の特性を有効利用して、ステムに熱歪等の熱による悪影響を及ぼすことなく、強固且つ安価に金属製ホルダとステムとを固定することが可能となる。
【００３１】
そして、以上の第１〜第３の手段においては、光透過ガラス部材を、レンズまたは球レンズとすることができる。
【００３２】
このようにすれば、低融点ガラスによりレンズまたは球レンズを適切に固定状態とすることができる。
【発明の効果】
【００３３】
以上のように本発明に係る光通信用光学部品（第１の手段）によれば、低融点ガラスによって金属製ホルダと金属製支持体とが電気的に絶縁されるため、絶縁用スペーサ等の絶縁体を別途加工して製作する必要がなくなり、絶縁のために要する作業面での労苦やコストの削減を図ることが可能になると共に、その低融点ガラスが前記両者の絶縁用と光透過ガラス部材の固定用とを兼ねることから、作業工数の削減及び作業性の向上を図ることが可能となり、更には接着固定のための作業の簡素化あるいは簡略化をも図ることが可能となる。
【００３４】
また、本発明に係る光通信用光学部品（第２の手段及び第３の手段）によれば、金属製ホルダと金属製支持体とが、絶縁包囲体のみによって電気的に絶縁されるのではなく、低融点ガラスによっても電気的に絶縁されることから、絶縁性包囲体に加工誤差が生じていても、低融点ガラスによってその誤差を小さくし或いはなくすことができ、絶縁包囲体の加工誤差が直接的にこの光通信用光学部品の光学特性に悪影響を及ぼすという不具合を回避することが可能となる。
【発明を実施するための最良の形態】
【００３５】
以下、本発明の実施形態を添付図面を参照して説明する。
【００３６】
図１は、本発明の第１実施形態に係る光通信用光学部品の概略構成を例示している。同図に示すように、この光通信用光学部品１は、半導体発光素子または半導体受光素子等からなる光素子２が搭載されたステム３の前面に、光素子２の外周側及び前方側を覆う金属製ホルダ４が固定されると共に、この金属製ホルダ４の前方側に、光ファイバ５を固定するための金属製支持体６が配置されている。そして、金属製ホルダ４の前壁部４ａには、光ファイバ５から光素子２に至る光路上に位置する光透過ガラス部材（球レンズ）７が装着されている。詳しくは、金属製ホルダ４の前壁部４ａには、その中央部に貫通孔４ｘが形成され、この貫通孔４ｘに球レンズ７が嵌め込まれる共に、光ファイバ５と光素子２との間における光信号の通路上に球レンズ７が位置している。
【００３７】
各構成要素について詳述すると、金属製ホルダ４は、円筒状の周壁部４ｂの前端に平面板状の前壁部４ａが一体形成されると共に、その周壁部４ｂの後端には、外周側に延出されたフランジ部４ｃが一体形成され、且つフランジ部４ｃの後面には、後方に移行するに連れて漸次薄肉となる突起部４ｄが一体形成されている。そして、この突起部４ｄの後端が溶接部Ｗ１にて抵抗溶接されることにより、金属製ホルダ４がステム３に固定されている。尚、この金属製ホルダ４は、Ｎｉ薄膜を施した鉄合金系金属で形成されている。
【００３８】
一方、金属製支持体６は、球レンズ７と光ファイバ５との間における光信号の通路となり且つ球レンズ７の径よりも大きな内径の大貫通孔６ｘを有する。そして、この金属製支持体６の前面に、光ファイバ５を支持するための止着体８が、溶接部Ｗ２にてＹＡＧ溶接されることにより固定されている。尚、光ファイバ５は、フェルール９に保持されると共に、このフェルール９が止着体８の貫通孔８ｘに嵌合固着されている。
【００３９】
然して、金属製ホルダ４の前壁部４ａの前面と、金属製支持体６の後面との間には、両者４、６を電気的に絶縁して固定する低融点ガラスＧ１が介設されている。そして、この低融点ガラスＧ１が、球レンズ７まで連続していることに伴って、球レンズ７は、この低融点ガラスＧ１により金属製ホルダ４の前壁部４ａに固定されている。
【００４０】
このような構成によれば、低融点ガラスＧ１によって金属製ホルダ４と金属製支持体６とが電気的に絶縁されるため、金属製支持体６に保持されている光ファイバ５側からの電磁ノイズやサージ等またはこれらに準ずる外乱因子に対して光素子２を有効に保護することが可能となる。そして、絶縁のための作業としては、低融点ガラスＧ１を塗布する作業及び低融点ガラスＧ１を介して金属製ホルダ４と金属製支持体６とを接着固定させるための作業を行うだけで済むため、絶縁用スペーサ等の絶縁体を別途加工して製作する必要がなくなる。しかも、金属製ホルダ４の前壁部４ａの前面と金属製支持体６の後面との間に介設される低融点ガラスＧ１は、金属製ホルダ４の前壁部４ａに球レンズ７を固定する役割をも果たしているため、作業工数が削減すると同時に作業性の向上も図られる。加えて、低融点ガラスＧ１が球レンズ７まで連続していることから、金属製ホルダ４と金属製支持体６とを接着固定させるための作業を行う際には、この両者４、６の軸芯からのズレに対してさほど大きな注意を払わなくとも、両者４、６の絶縁に支障が生じず、作業の簡素化あるいは簡略化も図られる。
【００４１】
図２は、本発明の第２実施形態に係る光通信用光学部品の概略構成を例示している。同図に示す第２実施形態に係る光通信用光学部品１は、光素子を搭載してなるステムの前方側に金属製ホルダ４が抵抗溶接により固定される点と、光ファイバを保持してなる止着体が金属製支持体６の前方側にＹＡＧ溶接により固定される点とについては、上述の第１実施形態に係る光通信用光学部品１と同一である。そこで、光素子やステム及び光ファイバや止着体の図示を省略すると共に、第１実施形態と共通の構成要素については、同一符号を使用して説明を行う（以下の第３実施形態及び第４実施形態についても同様）。
【００４２】
図２に示すように、この第２実施形態に係る光通信用光学部品１が、上述の第１実施形態に係る光通信用光学部品１と異なっている第１の相違点は、金属製ホルダ４の前壁部４ａにおける球レンズ７（貫通孔４ｘ）の外周側部位に、前方側に突出する円環状凸部４ｅを形成した点である。また、第２の相違点は、金属製支持体６の大貫通孔６ｘの径が相対的に大径となっている点である。
【００４３】
更に、第３の相違点は、金属製ホルダ４における上記円環状凸部４ｅの外周面と、金属製支持体６の内周面との間に、ガラスまたはガラスセラミックからなる円筒状の絶縁包囲体１０を介設した点である。この場合、絶縁包囲体１０は、球レンズ７の装着部位を包囲している。そして、金属製ホルダ４における円環状凸部４ｅの外周面は、絶縁包囲体１０の内周面に径方向に係合し、すなわち円環状凸部４ｅの外周側に絶縁包囲体１０が嵌合している。これにより、円環状凸部４ｅの外周面は、絶縁包囲体１０を径方向に位置決めする位置決め面としての役割を果たしている。また、金属製支持体６の内周面は、絶縁包囲体１０の外周面に径方向に係合し、すなわち絶縁包囲体１０の外周側に金属製支持体６が嵌合している。したがって、この絶縁包囲体１０は、金属製ホルダ４と金属製支持体６との両者に径方向に係合して、その両者４、６の径方向移動を規制すると同時に、その両者４、６を径方向において電気的に絶縁している。尚、絶縁包囲体１０の前面は、金属製支持体６の前面よりも後方に位置している。
【００４４】
加えて、第４の相違点は、金属製支持体６の後面と、これに対向する金属製ホルダ４の前壁部４ａの前面との間に、低融点ガラスＧ２が介設されている点である。したがって、金属製支持体６の後面と、金属製ホルダ４の前壁部４ａの前面とが低融点ガラスＧ２により固定されて、その両者４、６の軸方向移動が規制されると共に、その両者４、６が軸方向において電気的に絶縁されている。そして、金属製支持体６の後面と金属製ホルダ４の前壁部４ａの前面との間の離隔寸法は、低融点ガラスＧ２によって調整されている。
【００４５】
また、第５の相違点は、絶縁包囲体１０の内周面から金属製ホルダ４の前壁部４ａの前面（円環状凸部４ｅの前面）に跨って低融点ガラスＧ３が固着され、この低融点ガラスＧ３が球レンズ７まで連続している点である。したがって、絶縁包囲体１０は、金属製ホルダ４の前壁部４ａに電気的に絶縁された状態で固定されると共に、球レンズ７は、この低融点ガラスＧ３によって金属製ホルダ４の前壁部４ａに固定される。
【００４６】
このような構成によれば、絶縁包囲体１０と低融点ガラスＧ２とにより金属製ホルダ４と金属製支持体６とが電気的に絶縁されるため、金属製支持体６に保持されている光ファイバ５側からの電磁ノイズやサージ等またはこれらに準ずる外乱因子に対して光素子２を有効に保護することが可能となる。しかも、絶縁包囲体１０の特に軸方向長さに加工誤差が生じていても、球レンズ７から金属製支持体６の前面まで寸法、つまり球レンズ７から光ファイバ５の一端までの寸法は、金属製支持体６の後面と金属製ホルダ４の前壁部４ａの前面との間に介設されている低融点ガラスＧ２によって正確に調整されている。したがって、この第２実施形態に係る光通信用光学部品１の本来的な光学特性に、絶縁包囲体１０の軸方向長さの加工誤差が悪影響を与えることはない。また、絶縁包囲体１０の内周側及び外周側に、金属製ホルダ４の円環状凸部４ｅ及び金属製支持体６がそれぞれ嵌合されているため、径方向において、この光通信用光学部品１の本来的な光学特性を悪化させる要因は皆無または極めて少なくなる。
【００４７】
図３は、本発明の第３実施形態に係る光通信用光学部品の概略構成を例示している。この第３実施形態に係る光通信用光学部品１が、上述の第２実施形態に係る光通信用光学部品１と異なっている第１の相違点は、金属製ホルダ４の前壁部４ａに円環状凸部が形成されておらず、且つ金属製ホルダ４の後端に形成されたフランジ部４ｃが外周側に向かって相対的に長く延出されている点である。また、第２の相違点は、円筒状の絶縁包囲体１０が、球レンズ７の装着部位のみならず光素子２の配設部位の外周側をも包囲した状態で、金属製ホルダ４の周壁部４ｂの外周面と、金属製支持体６の内周面との間に介設され、且つ、金属製支持体６の前面部に、大径の貫通孔６ｙを中央部に有する大径前壁部６ａが一体形成されている点である。この場合、絶縁包囲体１０は、その後面が、金属製ホルダ４のフランジ部４ｃの前面に当接し、その前面が、金属製ホルダ４の前壁部４ａの前面よりも前方側に位置している。更に、絶縁包囲体１０の前面と、金属製支持体６の大径前壁部４ａの後面との間には隙間が設けられている。
【００４８】
詳述すると、金属製ホルダ４における周壁部４ｂの外周面は、絶縁包囲体１０の内周面に径方向に係合し、すなわち金属製ホルダ４の周壁部４ｂの外周側に絶縁包囲体１０が嵌合している。これにより、金属製ホルダ４の周壁部４ｂの外周面は、絶縁包囲体１０を径方向に位置決めする位置決め面としての役割を果たしている。また、金属製支持体６の内周面は、絶縁包囲体１０の外周面に径方向に係合し、すなわち絶縁包囲体１０の外周側に金属製支持体６が嵌合している。したがって、この絶縁包囲体１０は、金属製ホルダ４と金属製支持体６との両者に径方向に係合して、その両者４、６の径方向移動を規制すると同時に、その両者４、６を径方向において電気的に絶縁している。
【００４９】
更に、第３の相違点は、金属製支持体６の後面と、これに対向する金属製ホルダ４のフランジ部４ｃの前面との間に、低融点ガラスＧ４が介設されている点である。したがって、金属製支持体６の後面と、金属製ホルダ４のフランジ部４ｃの前面とが低融点ガラスＧ４により固定されて、その両者４、６の軸方向移動が規制されると共に、その両者４、６が軸方向において電気的に絶縁されている。そして、金属製支持体６の後面と金属製ホルダ４のフランジ部４ｃの前面との間の離隔寸法は、低融点ガラスＧ４によって調整されている。尚、絶縁包囲体１０の内周面（前端部内周面）から金属製ホルダ４の前壁部４ａの前面に跨って低融点ガラスＧ５が固着され、この低融点ガラスＧ５が球レンズ７まで連続している点は、上述の第２実施形態と基本的に同様である。
【００５０】
このような構成によっても、絶縁包囲体１０と低融点ガラスＧ４とにより金属製ホルダ４と金属製支持体６とが電気的に絶縁されるため、金属製支持体６に保持されている光ファイバ５側からの電磁ノイズやサージ等またはこれらに準ずる外乱因子に対して光素子２を有効に保護することが可能となる。しかも、絶縁包囲体１０の特に軸方向長さに加工誤差が生じていても、球レンズ７から金属製支持体６の前面まで寸法、つまり球レンズ７から光ファイバ５の一端までの寸法は、絶縁包囲体１０の前面と金属製支持体６の大径前壁部６ａの後面との間に隙間が設けられていることと相俟って、金属製支持体６の後面と金属製ホルダ４のフランジ部４ｃの前面との間に介設されている低融点ガラスＧ４によって正確に調整されている。したがって、この第３実施形態に係る光通信用光学部品１の本来的な光学特性に、絶縁包囲体１０の軸方向長さの加工誤差が悪影響を与えることはない。また、絶縁包囲体１０の内周側及び外周側に、金属製ホルダ４及び金属製支持体６がそれぞれ嵌合されているため、径方向において、この光通信用光学部品１の本来的な光学特性を悪化させる要因は皆無または極めて少なくなる。
【００５１】
図４は、本発明の第４実施形態に係る光通信用光学部品の概略構成を例示している。この第４実施形態に係る光通信用光学部品１が、上述の第２、第３実施形態に係る光通信用光学部品１と異なっている第１の相違点は、金属製ホルダ４が光素子２の外周側を覆い、且つ金属製支持体６が光素子２の前方側を覆っている点である。詳述すると、金属製ホルダ４は、前方が開口する円筒状の周壁部４ｂと、この周壁部４ｂの後端に形成されたフランジ部４ｃとから構成され、金属製支持体６は、後方が開口し且つ金属製ホルダ４の周壁部４ｂと少なくとも内径が同一の周壁部６ｂと、この周壁部６ｂの前方側に一体形成された前壁部６ａとから構成される。そして、この前壁部６ａの中央部に形成された貫通孔６ｚの後端部に球レンズ７が嵌め込まれている。
【００５２】
また、第２の相違点は、金属製ホルダ４の周壁部４ｂと金属製支持体６の周壁部６ｂとに跨って、それらの内周側に、円筒状の絶縁包囲体１０が嵌合されている点である。詳述すると、金属製ホルダ４の周壁部４ｂの内周面は、絶縁包囲体１０の外周面に径方向に係合し、且つ金属製支持体６の周壁部６ｂ内周面も、絶縁包囲体１０の外周面に径方向に係合している。したがって、金属製ホルダ４の周壁部４ｂの内周面は、絶縁包囲体１０を径方向に位置決めする位置決め面としての役割を果たすと共に、絶縁包囲体１０は、金属製ホルダ４と金属製支持体６との両者に径方向に係合して、その両者４、６の径方向移動を規制している。この場合、絶縁包囲体１０の後面は、金属製ホルダ４の後面よりも前方に位置している。
【００５３】
更に、第３の相違点は、金属製ホルダ４の周壁部４ｂの前面と、これに対向する金属製支持体６の周壁部６ｂの後面との間に、低融点ガラスＧ６が介設されている点である。したがって、金属製ホルダ４の周壁部４ｂの前面と、金属製支持体６の周壁部６ｂの後面とが低融点ガラスＧ６により固定されて、その両者４、６の軸方向移動が規制されると共に、その両者４、６が軸方向において電気的に絶縁されている。そして、両周壁部４ｂ、６ｂの前面と後面との間の離隔寸法は、低融点ガラスＧ６によって調整されている。尚、絶縁包囲体１０の内周面（前端部内周面）から金属製支持体６の前壁部４ａの後面に跨って低融点ガラスＧ７が固着され、この低融点ガラスＧ７が球レンズ７まで連続している点は、上述の第２、第３実施形態と基本的に同様である。
【００５４】
このような構成によっても、絶縁包囲体１０と低融点ガラスＧ６とにより金属製ホルダ４と金属製支持体６とが電気的に絶縁されるため、金属製支持体６に保持されている光ファイバ５側からの電磁ノイズやサージ等またはこれらに準ずる外乱因子に対して光素子２を有効に保護することが可能となる。しかも、絶縁包囲体１０の特に軸方向長さに加工誤差が生じていても、球レンズ７から光素子２まで寸法、つまり球レンズ７から金属製ホルダ４の後面までの寸法は、絶縁包囲体１０の後面と金属製ホルダ４の後面との間に隙間が設けられていることと相俟って、金属製支持体６の周壁部６ｂの後面と金属製ホルダ４の周壁部４ｂの前面との間に介設されている低融点ガラスＧ６によって正確に調整されている。したがって、この第４実施形態に係る光通信用光学部品１の本来的な光学特性に、絶縁包囲体１０の軸方向長さの加工誤差が悪影響を与えることはない。また、絶縁包囲体１０の外周側に、金属製ホルダ４及び金属製支持体６の両者の周壁部４ｂ、６ｂが嵌合されているため、径方向において、この光通信用光学部品１の本来的な光学特性を悪化させる要因は皆無または極めて少なくなる。
【００５５】
尚、以上の実施形態では、絶縁包囲体１０と、金属製ホルダ４及び金属製支持体６とが、周方向の全域に亘って接触する嵌合によって、絶縁包囲体１０を、その両者４、６に径方向に係合させるようにしたが、絶縁包囲体１０が、その両者４、６の何れか一方または双方に、周方向の一部のみで接触することによって、絶縁包囲体１０を、その両者４、６に径方向に係合させるようにしてもよい。
【図面の簡単な説明】
【００５６】
【図１】本発明の第１実施形態に係る光通信用光学部品の全体構成を示す縦断正面図である。
【図２】本発明の第２実施形態に係る光通信用光学部品の主要部を示す縦断正面図である。
【図３】本発明の第３実施形態に係る光通信用光学部品の主要部を示す縦断正面図である。
【図４】本発明の第４実施形態に係る光通信用光学部品の主要部を示す縦断正面図である。
【符号の説明】
【００５７】
１  光通信用光学部品
２  光素子
３  ステム
４  金属製ホルダ
４ａ  金属製ホルダの前壁部
５  光ファイバ
６  金属製支持体
７  球レンズ（光透過ガラス部材）
８  止着体
９  フェルール
１０  絶縁包囲体
Ｇ１〜Ｇ７  低融点ガラス
【図１】
2007173603.tif 000003
【図２】
2007173603.tif 000004
【図３】
2007173603.tif 000005
【図４】
2007173603.tif 000006